(57)【要約】【課題】低電力モード時でも、電源の遮断が可能な制御ユニットへの電源の回り込みを阻止を図ること。【解決手段】通常の待機時とは異なる低電力モードをもち、複数のユニットにより構成される画像処理装置において、低電力モードの際に、定着制御部１０９および低電力モードからの復帰要因を検出するユニット以外の未使用ユニットに対して各々のリセット状態を継続するよう制御し、低電力モードの最適化および電源の回り込みを阻止できることを特徴とする。【選択図】        図１
2006261769.tif 000002
【特許請求の範囲】
【請求項１】
通常の待機時とは異なる低電力モードをもち、複数のユニットにより構成される画像処理装置において、
前記低電力モードの際に、定着制御を行うユニットおよび低電力モードからの復帰要因を検出するユニット以外の未使用のユニットに対して各々のリセット状態を継続するよう制御するリセット制御手段を備えることを特徴とする画像処理装置。
【請求項２】
前記リセット制御手段は、
前記未使用のユニットおよび前記未使用のユニットに設けられた制御素子および負荷への電源供給を遮断するものであることを特徴とする請求項１に記載の画像処理装置。
【請求項３】
前記リセット制御手段は、
前記未使用のユニットに設けられリセット状態となった制御素子への供給クロックを停止するものであることを特徴とする請求項１または２に記載の画像処理装置。
【請求項４】
前記低電力モードの際に、定着温度を監視する定着温度監視手段を有し、
前記リセット制御手段は、
前記定着温度監視手段により監視された定着温度に基づき、前記低電力モードへの移行時に、前記未使用のユニットをリセット状態、供給クロック停止、あるいは電源供給を遮断のうちいずれかを行うか否かを決定するものであることを特徴とする請求項１〜３のいずれか一つに記載の画像処理装置。
【請求項５】
前記画像処理装置は、前記低電力モードから復帰する復帰手段を有し、
前記復帰手段は、前記低電力モードからの復帰に関する復帰要因に必要な最小限の前記ユニットのみ解除を行うことを特徴とする請求項１〜４のいずれか一つに記載の画像処理装置。
【請求項６】
通常の待機時とは異なる低電力モードをもち、複数のユニットにより構成される画像処理方法において、
前記低電力モードの際に、定着制御を行うユニットおよび低電力モードからの復帰要因を検出するユニット以外の未使用のユニットに対して各々のリセット状態を継続するよう制御するリセット制御工程を含むことを特徴とする画像処理方法。
【請求項７】
請求項６に記載の画像処理方法をコンピュータに実行させることを特徴とする画像処理プログラム。
【発明の詳細な説明】
【技術分野】
【０００１】
この発明は、待機時の消費電力を低減するための低電力モードを有する画像処理装置、画像処理方法および画像処理プログラムに関する。
【背景技術】
【０００２】
従来、待機時の消費電力を低減するため、ＬＳＩ（Ｌａｒｇｅ  Ｓｃａｌｅ  Ｉｎｔｅｇｒａｔｉｏｎ）の運動能力を低下させて低電力モードを達成する画像処理装置が提案されている（例えば、下記特許文献１参照。）。また、低電力モードから通常モードへの復帰については、簡単なソフトウェア制御で行う提案もされている（例えば、下記特許文献２参照。）。
【０００３】
また、低電力化を図るために、待機時に定着の待機温度を下げた状態で待機する低電力モードを有する画像処理装置がある。このような画像処理装置は低電力モードにおいて、定着の待機温度を下げるのみではなく、待機時に使用されないユニットやブロックの電源供給を停止することでさらに低電力化を図っているものがある。
【０００４】
【特許文献１】特開２００１−２９８５５８号公報
【特許文献２】特開２０００−１７２１３０号公報
【発明の開示】
【発明が解決しようとする課題】
【０００５】
しかしながら、装置内に電源供給されているユニットと電源供給が遮断されているユニットが混在する場合、互いに接続されている端子等から電源の回り込みが発生し、電源遮断ユニットへの遮断が完全にできず、不具合を起こす場合がある。例えば不具合は、素子が動作保証されない程度まで、電位が上昇し、ポートの出力端子が確定できないなどである。これら不具合を防ぐ方法として、パーシャルダウンに対応した素子で内部回路を構成する必要があるが、パーシャルダウンに対応した素子で構成すると内部回路の基板面積の増大を招くとともにコスト増の要因となりうる。
【０００６】
この発明は、上述した従来技術による問題点を解消するため、低電力モードで未使用となり電源の遮断が可能な制御ユニットを、リセット状態が維持できる素子にだけ接続して、低電力モード時でも電源の遮断が可能な制御ユニットへの電源の回り込みを阻止できる画像処理装置、画像処理方法および画像処理プログラムを提供することを目的とする。
【課題を解決するための手段】
【０００７】
上述した課題を解決し、目的を達成するため、請求項１の発明にかかる画像処理装置は、通常の待機時とは異なる低電力モードをもち、複数のユニットにより構成される画像処理装置において、前記低電力モードの際に、定着制御を行うユニットおよび低電力モードからの復帰要因を検出するユニット以外の未使用のユニットに対して各々のリセット状態を継続するよう制御するリセット制御手段を備えることを特徴とする。
【０００８】
この請求項１の発明によれば、画像処理部や書き込み、読み取りユニットや高圧電源を制御している素子（電源供給されているユニットと接続されている）について、低電力モードの期間リセット端子としてアクティブ（リセット状態）に保つことができる。したがって、回り込みを防止し、かつ各素子が継続してリセット状態とされている、内部回路は動作せずに消費電力を抑えることが可能となり、回り込みを回避する特別なハードを追加することなく安価に実施することができる。
【０００９】
また、請求項２の発明にかかる画像処理装置は、請求項１に記載の発明において、前記リセット制御手段は、前記未使用のユニットおよび前記未使用のユニットに設けられた制御素子および負荷への電源供給を遮断するものであることを特徴とする。
【００１０】
この請求項２の発明によれば、リセット状態の素子に接続されたユニットや駆動対象の電源供給を、電源が回り込むことなく遮断することが可能となり、さらに低電力化を図ることができる。
【００１１】
また、請求項３の発明にかかる画像処理装置は、請求項１または２に記載の発明において、前記リセット制御手段は、前記未使用のユニットに設けられリセット状態となった制御素子への供給クロックを停止するものであることを特徴とする。
【００１２】
この請求項３の発明によれば、リセット状態にした素子への供給クロックを停止することでリセット状態でも動作している素子内部のユニットの動作を停止することができ、低電力化を図ることができる。
【００１３】
また、請求項４の発明にかかる画像処理装置は、請求項１〜３のいずれか一つに記載の発明において、前記低電力モードの際に、定着温度を監視する定着温度監視手段を有し、前記リセット制御手段は、前記定着温度監視手段により監視された定着温度に基づき、前記低電力モードへの移行時に、前記未使用のユニットをリセット状態、供給クロック停止、あるいは電源供給を遮断のうちいずれかを行うか否かを決定するものであることを特徴とする。
【００１４】
この請求項４の発明によれば、定着の温度によってリセットおよび電源遮断するユニットを決めて、電源供給を遮断を実行していくので、復帰に時間がかからないユニットから停止していくことができ、定着の復帰時間がかからない場合は、装置の復帰時間を短くすることができ、ユーザーにとって待ち時間が増えるストレスを与えることなく、省電力の最適化を図ることができる。
【００１５】
また、請求項５の発明にかかる画像処理装置は、請求項１〜４のいずれか一つに記載の発明において、前記画像処理装置は、前記低電力モードから復帰する復帰手段を有し、前記復帰手段は、前記低電力モードからの復帰に関する復帰要因に必要な最小限の前記ユニットのみ解除を行うことを特徴とする。
【００１６】
この請求項５の発明によれば、復帰要因によって、最小限のユニットの復帰をすることができる。例えば書き込みが復帰要因の際はプロッタ側の画像処理および書き込みのみ、あるいは読み取りが復帰要因はスキャナ側の画像処理と読み取り部のみ、あるいはコピーでは全てのユニットを復帰させることで復帰時間の短縮と低電力を保ったまま復帰させることができる。
【００１７】
また、請求項６の発明にかかる画像処理方法は、通常の待機時とは異なる低電力モードをもち、複数のユニットにより構成される画像処理方法において、前記低電力モードの際に、定着制御を行うユニットおよび低電力モードからの復帰要因を検出するユニット以外の未使用のユニットに対して各々のリセット状態を継続するよう制御するリセット制御工程を含むことを特徴とする。
【００１８】
この請求項６の発明によれば、画像処理部や書き込み、読み取りユニットや高圧電源を制御している素子（電源供給されているユニットと接続されている）について、低電力モードの期間リセット端子としてアクティブ（リセット状態）に保つことができる。したがって、回り込みを防止し、かつ各素子が継続してリセット状態とされている、内部回路は動作せずに消費電力を抑えることが可能となり、回り込みを回避する特別なハードを追加することなく安価に実施することができる。
【００１９】
また、請求項７の発明にかかる画像処理プログラムは、請求項６に記載の画像処理方法をコンピュータに実行させることを特徴とする。
【００２０】
この請求項７の発明によれば、請求項６に記載の画像処理方法をコンピュータに実行させることが可能になる。
【発明の効果】
【００２１】
本発明にかかる画像処理装置、画像処理方法および画像処理プログラムによれば、低電力モードで未使用となり電源の遮断が可能な制御ユニットを、リセット状態が維持できる素子にだけ接続して電源の回り込みを阻止しているため、電源の回り込みに起因する不具合の防止を図ることができるという効果を奏する。
【００２２】
また、定着温度に基づいて、低電力モードからの復帰に時間がかからないユニットから電源を遮断する。したがって、低電力モードへ移行してすぐ使用する場合、定着温度の復帰に時間のかかるユニットは電源を遮断していないので、装置の復帰時間を短くすることができ、ユーザーに待ち時間が増えるストレスを与えることなく、省電力の最適化を図るという効果を奏する。
【００２３】
また、画像処理装置の低電力モードからの復帰は、必要な最小限のユニットを復帰させることができるため、復帰時間の短縮と低電力モードを保ったままの復帰が可能であるという効果を奏することができる。
【発明を実施するための最良の形態】
【００２４】
以下に添付図面を参照して、この発明にかかる画像処理装置、画像処理方法および画像処理プログラムの好適な実施の形態を詳細に説明する。
【００２５】
（実施の形態）
（画像処理装置のハードウェア構成）
図１は、本発明の実施の形態にかかる画像処理装置の構成を示すブロック図である。本発明の実施の形態にかかる画像処理装置は、プリンタやスキャン機能を有する複合機であり、プリンタやスキャン機能として使用する際に、ホストとして外部のＰＣ（パーソナル・コンピュータ）１０１がＬＡＮ（ローカルエリアネットワーク）などのネットワークを介して接続されている。本発明の実施の形態にかかる画像処理装置は、この画像処理装置の全体制御を行うＣＴＬ（コントローラ）１０３と、ＣＴＬ１０３に接続される操作部ＯＰＵ（オペレーションパネルユニット）１０２と、プロッタ機能やスキャン機能を実施する際のＩ/Ｏ（インプット/アウトプット）制御を行うユニットＰＬＴ（プロッタ）１０４と、電源を供給するＰＳＵ（パワーサプライユニット）１０５と、記録紙へトナー定着を行う定着部１１０と、高圧電源１１１と、プロッタ画像処理を実施するユニットＩＰＵ（イメージプロセッシングユニット）ａ１１２と、書き込み画像のレーザ光量に関する制御を行うＬＤ（レーザダイオード）制御部１１３と、書き込み画像の位置に関する制御を行うポリゴン制御部１１４と、読み取った画像データの画像処理を実施するＩＰＵｂ１１５と、画像データを読み取るＳＣＮ（スキャナ部）１１６と、読み取り光源であるランプを制御するランプ制御部１１７と、画像データの原稿に応じた読み取り動作の駆動制御を行うモータ制御部１１８と、を含み構成されている。
【００２６】
前述のＩ/Ｏ制御を行うＰＬＴ１０４は、内部ユニットにＩ/Ｏ制御をつかさどるＣＰＵ（セントラルプロセッシングユニット）１０６と、電源を監視する電源監視部１０７と、紙搬送や作像のための駆動系の負荷制御および作像のための高圧電源１１１の制御および記録紙へのトナー定着のための定着温度制御を実施するＩ/Ｏ制御部１０８と、定着部１１０の制御する定着制御部１０９と、を有している。
【００２７】
（画像処理装置の動作）
つぎに、図１に基づいて、本発明の実施の形態にかかる画像処理装置の各ユニットの基本的な動作について説明する。本発明の実施の形態にかかる画像処理装置のＣＴＬ１０３は、プリンタやスキャナ機能として使用する際のホストである外部のＰＣ１０１と接続しており、ユーザーがＯＰＵ１０２よりキー操作で入力した情報に基づいて、装置全体の制御を行う。ここで画像処理装置は、ユーザーによりキー操作などがされた場合に低電力モードからの復帰要因となる。
【００２８】
ＰＬＴ１０４は、ＣＴＬ１０３の制御により、プロッタ機能やスキャン機能を実施する際のＩ／Ｏ制御を行う。ＰＬＴ１０４は、ＰＳＵ１０５からデバイスの正常動作に必要なロジック電源Ｖｃｃとモータやポンプなどの動作に必要なアナログ電源Ｖａａの電源供給を受け、ＣＰＵ１０６の命令にしたがい各ユニットやブロックへ分配する。ＣＰＵ１０６は、ＰＬＴ１０４の内部ユニットとしてＩ／Ｏ制御をつかさどる。電源監視部１０７は、ＰＬＴ１０４に供給される電源を監視し、一定電圧以下になるとリセット信号ＲＥＳを出力し、リセット信号ＲＥＳにより、ＣＰＵ１０６および周辺回路が初期化される。
【００２９】
Ｉ／Ｏ制御部１０８は、ＣＰＵ１０６の命令にしたがい、紙搬送や作像するための駆動系の負荷制御および作像のための高圧電源１１１の出力制御および記録紙へのトナー定着のための定着温度制御を実施する。定着部１１０の定着温度制御は、定着温度をサーミスタにより検知し、アナログ温度帰還値をＣＰＵ１０６がＡ／Ｄ（アナログ／デジタル）コンバータによってモニタして行う。Ｉ／Ｏ制御部１０８は、ＣＰＵ１０６がＡ／Ｄコンバータによりモニタしたアナログ温度帰還値と、あらかじめ設定した目標値を比較する。定着制御部１０９は、ＣＰＵ１０６がＡ／Ｄコンバータによりモニタしたアナログ温度帰還値が目標値以下ならヒータをｏｎにし、目標値より大きければヒータをｏｆｆにする。ヒータのｏｎ／ｏｆｆは基本的に待機、低電力、印字モードで目標温度を切り替えて制御する構成でよい。通常目標温度は印字温度＞待機温度＞低電力温度の順となっており、この目標温度の設定によりヒータの作動が選択され、各モードでの装置の消費電力に影響することとなる。
【００３０】
ＩＰＵａ１１２は、プロッタ画像処理を実施するユニットで、主に伸張・圧縮や誤差拡散などの画像処理を行い、処理後の画像データをＬＤ制御１１３へと転送する。ＬＤ制御部１１３は、書き込みのＬＤ（レーザ）光量や書き込み位置の制御をポリゴン制御部１１４とともに行い、不図示の感光体上へプロッタ画像を形成する。
【００３１】
また、ＩＰＵｂ１１５は読み取り部であるＳＣＮ１１６からの入力データをシェーディング、ライン間、ガンマ補正などを行う画像処理ユニットである。ランプ制御部１１７は読み取り光源であるランプの点灯に関して制御を行い、モータ制御部１１８は画像原稿に応じた読み取り動作を行うための駆動制御を行うユニットである。なお、このスキャナのモータ制御部１１８は、読み取り位置（光源位置）を固定する必要があり、待機時にもモータを励磁（ホールド）して停止させているため、待機状態でも消費電力が大きい。
【００３２】
（低電力モードへの移行動作）
ここで、上記に説明した本実施の形態にかかる画像処理装置の構成において、低電力モードへ移行する際の動作について説明する。
【００３３】
本発明の実施の形態にかかる画像処理装置は、待機モードから一定時間経過した後、低電力モードへ移行する。一定時間は任意に設定できる構成としてよく、例えば１５分程度でもよい。ＰＬＴ１０４は、ＣＰＵ１０６からのリセット信号ＲＥＳ０をアクティブ（リセット状態）に保つことで、Ｉ／Ｏ制御部１０８とＩＰＵａ１１２へリセット信号ＲＥＳ１を出力する。そして、Ｉ／Ｏ制御部１０８とＩＰＵａ１１２は、リセット信号ＲＥＳ１によってリセット状態を低電力モードの期間継続する。なお、このときＣＰＵ１０６とＩ／Ｏ制御部１０８の接続バスと制御信号は、Ｉ／Ｏ制御部１０８側がリセット状態となっていることから入力端子（ハイインピーダンス：ＨｉＺ）となる構成となっており、接続された端子からの回り込みは発生しない。同様に、接続されるＩ／Ｏについても、Ｉ／Ｏ制御部１０８側がＨｉＺとなり、負荷側の電源を遮断しても電源の回り込みが発生することはない構成となっている。
【００３４】
上記の構成は、高圧電源１１１や定着部１１０のような低電力モード時に未使用となり、電源遮断が可能な制御ユニット（ブロック）を、Ｉ／Ｏ制御部１０８のようなリセット状態を維持する素子にだけ接続することを特徴としている。このような構成とすることで、リセットされた素子との接続端子は入力端子（ハイインピーダンス：ＨｉＺ）となり、接続されたユニット（ブロック）への回り込みは発生せず、電源遮断が可能となる。
【００３５】
例えば、ＰＬＴ１０４は、リセット信号ＲＥＳ１によりＩ／Ｏ制御部１０８がリセット状態にされると、Ｉ／Ｏ制御部１０８内部の回路での消費電力を削減できる。また、ＰＬＴ１０４は、高圧電源１１１への電源コントロール信号（遮断の信号）ＶＣＯＮ５が電源ｏｆｆ側（ノンアクティブ）となることで高圧電源１１１にかかっていた消費電力も削減できる。また、ＰＬＴ１０４は、ＩＰＵａ１１２の動作クロックであるＣＬＫ１を停止することで、リセット状態でもクロックにより動作していた回路を停止して、さらに低電力化を図ることができる。
【００３６】
ＰＬＴ１０４は、リセット信号ＲＥＳ１により、ＩＰＵａ１１２をリセット状態にすることで、ＬＤ制御部１１３への電源コントロール信号ＶＣＯＮ４をノンアクティブにでき、ＬＤ制御部１１３およびポリゴン制御部１１４への電源を遮断できる。また、ＩＰＵａ１１２からのリセット信号ＲＥＳ２によりＩＰＵｂ１１５をリセット状態にし、ＩＰＵｂ１１５への電源コントロール信号ＶＣＯＮ２もノンアクティブとする。
【００３７】
ＶＣＯＮ２をノンアクティブにすることとあわせて、ＣＰＵ１０６からＳＣＮ１１６への電源コントロール信号ＶＣＯＮ３もノンアクティブ（電源ｏｆｆ）に切り替える。このＶＣＯＮ３をノンアクティブとすることで、ＩＰＵｂ１１５とＳＣＮ１１６と、ランプ制御部１１７とモータ制御部１１８の電源が遮断され、低電力化を図ることができる構成となっている。
【００３８】
また、通常Ｉ／Ｏ制御部１０８は、ＣＰＵ１０６がサーミスタからの定着温度の検知に基づいて算出したアナログ温度帰還値と目標温度を参照して、定着ヒータのｏｎ時間を制御している。したがって、Ｉ／Ｏ制御部１０８をリセット状態としている間は定着制御が不能となるため、Ｉ／Ｏ制御部１０８の電源を遮断することはできない。しかしながら、定着温度をサーミスタからの温度帰還値と目標温度を比較し定着ヒータをｏｎ／ｏｆｆする回路構成をもった定着制御部１０９を、コンパレータ回路を使った簡易的な回路で構成することで、Ｉ／Ｏ制御部１０８の電源を遮断できる構成としている。
【００３９】
また、上記の低電力モードの状態においてＰＣ１０１からのプリント命令を受け付けたとき、ＰＬＴ１０４は、リセット信号ＲＥＳ０をリセット解除することでＰＬＴ１０４内のユニットは通常制御状態となり、Ｉ／Ｏ制御部１０８とＩＰＵａ１１２へのリセット信号ＲＥＳ１をリセット解除する。そして、ＩＰＵａ１１２へのリセット信号ＲＥＳ１がリセット解除されることで書き込みユニットＬＤ制御部１１３とポリゴン制御部１１４に対して、電源コントロール信号ＶＣＯＮ４がアクティブとなり、ＬＤ制御部１１３とポリゴン制御部１１４へ電源が供給され、プロッタ動作が可能な最小限のユニットのみ、リセットを解除できる。
【００４０】
このとき、ＩＰＵａ１１２（電源ｏｎ）とＩＰＵｂ１１５（電源ｏｆｆ）で回り込みが発生しないように、ＩＰＵａ１１２をリセット解除すると同時に電源コントロール信号ＶＣＯＮ２をアクティブにし、ＩＰＵｂ１１５にも電源の供給をする。ただし、リセット信号ＲＥＳ２によりＩＰＵｂ１１５はリセット状態を維持する。このことで、プリンタ動作中とその後の待機時にはＩＰＵｂ１１５とＳＣＮ１１６とランプ制御部１１７とモータ制御部１１８の電源を遮断した状態を保つことができ、低電力化を図ることができる。
【００４１】
また、プリンタやファクシミリ機能を有する複合機などにおいては、ファクシミリの受信を要因として復帰する場合にも、上述と同様にしてプロッタ部のみリセット状態を解除し、プロッタ動作を行うことで、低電力化を図る構成とできる。
【００４２】
なお、プロッタおよびスキャナ動作を行うようなコピー動作への復帰時には、全ての電源コントロール信号をアクティブにし、電源を供給するとともにリセット状態を解除する。
【００４３】
また、ＳＣＮ１１６は、待機時に読み取り位置固定の必要があるが、低電力モードでは位置制御を行うモータ制御部１１８の電源をｏｆｆにするため、読み取り位置の保証ができない。したがって、復帰時に装置の電源がｏｎのときと同様な位置合わせのためのイニシャル動作が必要となる。このイニシャル動作には、ある程度の時間（５ｓｅｃ程度）がかかるため、低電力に移行してからの定着温度がほぼ待機温度と近い場合（例えば、低電力モードに移行して時間をおかない場合）、ＳＣＮ１１６のイニシャル動作に要する時間がユーザーにとっての待ち時間の主要因となる。
【００４４】
前述のＳＣＮ１１６のイニシャル動作に起因する待ち時間の発生を避けるために低電力モードへ移行した時点で、復帰後にプロッタが可能な温度であるリロード温度と、低電力モードにおける定着温度を比較する構成としてもよい。
【００４５】
図２は、本発明の実施の形態にかかるＳＣＮのイニシャル動作に起因する待ち時間の発生を避ける低電力モードへの移行の動作を示すフローチャートである。
【００４６】
まず、本発明の実施の形態にかかる画像処理装置は、待機モードから一定時間経過した後、低電力モードへ移行する（ステップＳ２０１）。続いてＰＬＴ１０４は、ＣＰＵ１０６からのリセット信号ＲＥＳ０をアクティブ（リセット状態）に保つ（ステップＳ２０２）。リセット信号ＲＥＳ０をアクティブに保つことで、ＰＬＴ１０４は、Ｉ／Ｏ制御部１０８とＩＰＵａ１１２へリセット信号ＲＥＳ１を出力する。そして、Ｉ／Ｏ制御部１０８とＩＰＵａ１１２は、リセット信号ＲＥＳ１によって低電力モードの期間リセット状態を継続する。
【００４７】
続いて、ＰＬＴ１０４は、高圧電源１１１への電源コントロール信号ＶＣＯＮ５をノンアクティブとし、高圧電源１１１にかかっていた消費電力を削減する。また、ＰＬＴ１０４は、ＩＰＵａ１１２をリセット状態とすることで、ＬＤ制御部１１３への電源コントロール信号ＶＣＯＮ４をノンアクティブとし、ＬＤ制御部１１３およびポリゴン制御部１１４への電源を遮断する。
【００４８】
続いて、ＰＬＴ１０４は、プロッタが可能な温度であるリロード温度と、前述の低電力モードにおける定着温度を比較する（ステップＳ２０３）。例えば、リロード温度と定着温度の差が１０℃より小さければ（ステップＳ２０３：Ｎｏ）、リロード温度までの到達時間が５ｓｅｃ以内となるため、ＳＣＮ１１６のイニシャル動作に起因する待ち時間を発生させないようする。つまり、リロード温度と定着温度の差が１０℃以上となるまでリロード温度と低電力モードにおける定着温度を比較し（ステップＳ２０３）、リセットして電源を遮断するユニットをＩ／Ｏ制御部１０８と高圧電源１１１とＩＰＵａ１１２とＬＤ制御部１１３とポリゴン制御部１１４に限定しておく必要がある。これらのユニットは、ユーザーにより、プリンタやスキャナなどの入力による復帰要因があった場合でも、即復帰可能なため定着の温度に関係なく、リセット状態に移行しても復帰時にユーザーのストレスとはならないからである。
【００４９】
一方リロード温度と定着温度の差が、１０℃以上であれば（ステップＳ２０３：Ｙｅｓ）、リロード温度までの到達時間が５ｓｅｃ以上かかる。そのため、ＳＣＮ１１６のイニシャル動作に起因する待ち時間の方が小さいこととなり、リセットさせて電源を遮断するユニットをＩ／Ｏ制御部１０８と高圧電源１１１とＩＰＵａ１１２とＬＤ制御部１１３とポリゴン制御部１１４に限定しておく必要はない。したがって、ＰＬＴ１０４は、ＶＣＯＮ３をノンアクティブ（電源ｏｆｆ）として（ステップＳ２０４）、処理を終了する。ＶＣＯＮ３がノンアクティブとなれば、ＳＣＮ１１６とランプ制御部１１７とモータ制御部１１８の電源は遮断されて、低電力化を図る構成としている。
【００５０】
また、上記画像処理装置は、全てのＶＣＯＮ（電源コントロール信号）をＣＰＵ１０６が制御する構成としてもよい。
【００５１】
以上説明したように、画像処理装置、画像処理方法および画像処理プログラムによれば、ができる。
【００５２】
なお、本実施の形態で説明した画像処理方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００５３】
以上のように、本発明にかかる画像処理装置、画像処理方法および画像処理プログラムは、待機時の消費電力を低減するための低電力モードを有する画像処理装置に有用であり、特に、スキャナやファクシミリやコピーなどの機能を有している複合機に適している。
【図面の簡単な説明】
【００５４】
【図１】本発明の実施の形態にかかる画像処理装置の構成を示すブロック図である。
【図２】本発明の実施の形態にかかるＳＣＮのイニシャル動作に起因する待ち時間の発生を避ける低電力モードへの移行の動作を示すフローチャートである。
【符号の説明】
【００５５】
１０１  ＰＣ
１０２  ＯＰＵ
１０３  ＣＴＬ
１０４  ＰＬＴ
１０５  ＰＳＵ
１０６  ＣＰＵ
１０７  電源監視部
１０８  Ｉ／Ｏ制御部
１０９  定着制御部
１１０  定着部
１１１  高圧電源
１１２  ＩＰＵａ
１１３  ＬＤ制御部
１１４  ポリゴン制御部
１１５  ＩＰＵｂ
１１６  ＳＣＮ
１１７  ランプ制御部
１１８  モータ制御部
【図１】
2006261769.tif 000003
【図２】
2006261769.tif 000004